(57)【特許請求の範囲】
【請求項１】
対向して配置した支柱の対向面に断面コ字状のホルダーを固定し、対向するホルダー間にフェンスを形成するパネルを、その両側端部をそれぞれホルダー内に落とし込むことによって抜き差し自在に張設し、このパネルが、マイナスイオン生成材付きのフィルターパネルと、該フィルターパネルをその両面から挟み状に保持する金属製の格子部材で形成されている道路用のフェンス部材。
【発明の詳細な説明】
【０００１】
【発明の属する技術分野】
この発明は、車両や人の通過する部分を仕切ったり、進入を阻止するためのフェンス部材、具体的には、道路の中央分離帯に設置する道路用のフェンス部材や、工事現場の周囲に設置する工事用のガードフェンス部材に関する。
【０００２】
【従来の技術】
近年、道路網の発達と共に、自動車による大気汚染物質の放出や粉塵の飛散により、周辺住民の健康を害することが大きな社会問題となっている。
【０００３】
また、建築や土木工事の現場においても、工事による空気の汚れがひどく、粉塵等の飛散による作業環境の悪化を改善する要望が大きくなっている。
【０００４】
【発明が解決しようとする課題】
例えば、道路等の周辺環境の改善対策の一つとして、植物の植栽による緑化が知られているが、植栽だけでは周辺環境の改善を十分に果たすことができないのが実状である。
【０００５】
そこで、この発明の課題は、マイナスイオンによる空気の清浄機能を有効に利用し、道路や工事現場における周辺の空気を清浄化して環境を改善することができ、身体の健康維持に寄与することができるフェンス部材を提供することにある。
【０００６】
【課題を解決するための手段】
上記のような課題を解決するため、この発明は、対向して配置した支柱の対向面に断面コ字状のホルダーを固定し、対向するホルダー間にフェンスを形成するパネルを、その両側端部をそれぞれホルダー内に落とし込むことによって抜き差し自在に張設し、このパネルが、マイナスイオン生成材付きのフィルターパネルと、該フィルターパネルをその両面から挟み状に保持する金属製の格子部材で形成されている構成を採用したものである。
【０００９】
上記したマイナスイオン生成材付きのフィルターパネルは、連続気泡のスポンジや不織布等の通気性のある材料を用いて形成し、このフィルターパネルにマイナスイオン生成材を付着させたものであり、マイナスイオン生成材は、例えば、活性石の粉末を配合した塗料組成物からなり、これをフィルターパネルに対して塗布又は含浸させることにより付着させる。
【００１０】
道路用のフェンス部材において、格子部材は枠体内に格子を張設して形成され、フィルターパネルとその両面に重ねた格子部材の両側端部を、支柱に取り付けたホルダー内に落とし込むことにより、フィルターパネルは支柱間に垂直に起立保持され、道路の中央分離帯に配置される。
【００１１】
上記格子部材は、フィルターパネルを両側から挟んで保持することにより、風圧等によるフィルターパネルの変形発生を防ぎ、かつ、フェンス部材の装飾性や意匠性を向上させている。
【００１３】
【発明の実施の形態】
以下、この発明の実施の形態を図示例と共に説明する。
【００１４】
図１乃至図３に示す第１の実施の形態のフェンス部材１は、道路の中央分離帯に配置するフェンス部材の例であり、道路に一定間隔の配置で支柱２を立設し、各支柱２の対向面側に横断面コ字状のホルダー３をそれぞれ固定し、対向するホルダー３間にフェンスを形成するパネル４が張設されている。
【００１５】
上記パネル４は、マイナスイオン生成材付きのフィルターパネル５と、このフィルターパネル５をその両面から挟み状に保持する格子部材６、６の組み合わせからなり、フィルターパネル４は、合成樹脂を用いた連続気泡や独立気泡のスポンジや不織布等のような通気性を有する厚みのある材料を用い、対向するホルダー３、３間に納まる長さに形成され、このフィルターパネル５にマイナスイオン生成材を付着させたものである。
【００１６】
上記マイナスイオン生成材としては、各種活性石、例えば、貴陽石、ホルンヘルス、医王石トルマリン等の粉末を配合した塗料組成物からなり、溶融させた組成物をフィルターパネル５に対して塗布や吹き付け、又はフィルターパネル５の浸漬により含浸塗布させることにより付着させることで得られる。
【００１７】
上記格子部材６、６は、金属パイプを用い、対向するホルダー３、３間に納まる長さの横長に組み立てた枠体６ａ内に格子６ｂを張設して形成され、格子６ｂは図示のような縦格子だけでなく、横格子や各種模様格子、ネット等を採用することができ、この格子部材６、６でフィルターパネル５を両側から挟んで保持することにより、風圧等によるフィルターパネル５の変形発生を防ぎ、かつ、フェンス部材１の装飾性や意匠性を向上させることになる。
【００１８】
上記フィルターパネル５とその両面に重ねた格子部材６、６は、図３のように、両側端部を支柱２に取り付けたホルダー３、３内に落とし込むことにより、フィルターパネル５は支柱間に垂直に起立保持され、道路の中央分離帯に配置されることになり、ホルダー３、３に対してフィルターパネル５と格子部材６、６を抜き差し自在とすることにより、フィルターパネル５の取り替えや洗浄等の現場作業が、簡単に行えることになる。
【００１９】
図４に示す第２の実施の形態のフェンス部材１１は、工事現場の周囲に設置する工事用のガードフェンス部材の例であり、金属パイプを用いて溶接によりコ字状に組み立てられた枠体１２に中桟１３と下桟１４を架設し、この枠体１２内で中桟１３と下桟１４の間に第１の実施の形態と同様のマイナスイオン生成材付きのフィルターパネル５が張設され、枠体１２内で中桟１３の上部に網体１５が張設されている。
【００２０】
上記枠体１２内へのフィルターパネル５の張設は、断面コ字状の型材を用いた外枠１６内にフィルターパネル５の周囲を収め、この外枠１６を枠体１２内で中桟１３と下桟１４の間に嵌め込み、外枠１６を枠体１２に対してビス止め固定することにより取り付けられている。
【００２１】
この発明のフェンス部材は、上記のような構成であり、第１の実施の形態のフェンス部材１は、道路の中央分離帯に設置し、第２の実施の形態のフェンス部材１１は、工事現場の周囲を囲むように設置して使用する。
【００２２】
上記の各フェンス部材１、１１は、パネルにマイナスイオン生成材付きのフィルターパネル５を使用しているので、紫外線の照射や振動、空気の流れがフィルターパネル５のマイナスイオン生成材に作用又は接触することにより、設置部分の空気の流れがマイナスイオンとなり、マイナスイオンの効果で各フェンス部材１、１１を設置した周辺の環境を改善することができる。
【００２３】
即ち、フィルターパネル５に塗布したマイナスイオン生成材が、外的な要因でマイナスイオンを生成し、各フェンス部材１、１１を設置した周辺の空気の流れをマイナスイオンにすることで、自動車によって発生した排ガス等を含む空気や工事によって生じた浮遊塵を含む空気を清浄化することになり、これによって環境の改善を図ることができる。
【００２４】
【発明の効果】
以上のように、この発明によると、上記のような構成としたので、フィルターパネルに塗布したマイナスイオン生成材が、フェンス部材の設置部分における周辺の空気をマイナスイオンにすることになり、自動車によって発生した排ガス等を含む空気を清浄化することができ、道路周辺の住環境を改善し、人体の健康維持に大きく貢献することができると共に、パネルをホルダー内に落とし込むことによって抜き差し自在に張設することにより、フィルターパネルの取り替えや洗浄等の現場作業が簡単に行える。
【図面の簡単な説明】
【図１】第１の実施の形態である道路の中央分離帯に配置するフェンス部材の分解斜視図
【図２】第１の実施の形態である道路の中央分離帯に配置するフェンス部材の正面図
【図３】同上における要部を拡大した横断平面図
【図４】第２の実施の形態である工事用のガードフェンス部材の正面図
【符号の説明】
１    フェンス部材
２    支柱
３    ホルダー
４    パネル
５    フィルターパネル
６    格子部材
１１  フェンス部材
１２  枠体
１３  中桟
１４  下桟
１５  網体
１６  外枠
【図１】
0003640939.tif 000002
【図２】
0003640939.tif 000003
【図３】
0003640939.tif 000004
【図４】
0003640939.tif 000005